(57)【要約】【課題】棒状被包装品Ｐの従来に無かった斬新な包装態様とする。【解決手段】正四角形状箱本体１０内に棒状商品Ｐを支持する中敷き２０を嵌めた包装箱Ａ１である。中敷き２０は、脚片２４と、その脚片２４から中央に向かってそれぞれ下り傾斜した対の支持板２２、２３とを有し、その両支持板は、前記中央で折り目線２１を介して連結されて、その両支持板に嵌合孔２５、２６がそれぞれ形成されている。その各嵌合孔の一方に棒状商品Ｐの一端部が嵌められるとともに、同嵌合孔の他方に被包装品の他端部が嵌められて、両支持板の間に被包装品が架け渡された状態で（ハンモック状に）支持される。この包装状態は、商品Ｐが宙に浮いた状態となり、かつ支持板が対向する辺から中央に傾斜している態様となるため、目の錯覚によって、正四角体の平面視が菱形状に見える。このため、看者に驚きを与える。【選択図】図２
2019210056.tif 000002
【特許請求の範囲】
【請求項１】
有底筒状の箱本体（１０、１０’、１１０）と、その箱本体に装填される底上げ用中敷き（２０、２０’、１２０）とを有し、
上記中敷きは、周囲に設けられた脚片（２４、１２４）と、その脚片（２４、１２４）から中央に向かってそれぞれ下り傾斜した対の支持板（２２、２３、１２２、１２３）とを有し、その両支持板は、前記中央で折れ線（２１、１２１）を介して連結されて、その両支持板に嵌合孔（２５、２６、１２５、１２６）がそれぞれ形成されているとともに、前記脚片（２４、１２４）が箱本体側壁内面に沿って位置されており、
上記対の支持板（２２、２３、１２２、１２３）の両嵌合孔（２５、２６、１２５、１２６）の一方に棒状被包装品（Ｐ）の一端部が嵌められるとともに、同嵌合孔の他方に被包装品（Ｐ）の他端部が嵌められて、両支持板（２２、２３、１２２、１２３）の間に被包装品（Ｐ）が架け渡されて底上げ状態で支持される包装箱。
【請求項２】
上記箱本体（１０）が平面視正四角形であり、上記中敷き（２０）は、上記折れ線（２１）を箱本体（１０）の前記正四角形の２つの異なる対角線上に選択的に位置するように箱本体（１０）に嵌め込み自在となって、その選択した各位置において、側面視の形状が異なる包装箱。
【請求項３】
上記箱本体（１１０）が平面視三角形で、その箱本体（１１０）の隣接する２辺の側壁（１１３、１１３）の上縁が両端から中央に向かって傾斜し、上記中敷き（１２０）は、上記対の支持板（１２２、１２３）が箱本体（１１０）の前記両端から傾斜する両側壁（１１３）上縁に沿って、上記折れ線（１２１）が前記傾斜する両側壁（１１３）上縁の衝合する両点（ｅ、ｅ）の間に位置するように箱本体（１１０）に嵌め込まれている包装箱。
【発明の詳細な説明】
【技術分野】
【０００１】
この発明は、中敷きによって被包装品を底上げ状態で包装する包装箱に関するものである。
【背景技術】
【０００２】
この種の包装箱は、中敷き本体の周縁に所要数の脚板（側板）を設け、その側板を包装箱の側壁内面に沿う状態で嵌め、その中敷きの嵌合孔に被包装品を嵌め込む構成のものが一般的である（特許文献１  明細書段落０００２〜０００４，図９、図１０等参照）。
また、商品（被包装品）を底上げ（持ち上げ）状態で支持する考案も開示されている（特許文献２  図３、図１０等参照）。この考案においては、対の傾斜板でもって商品を架け渡して持ち上げ状態で支持している。
【先行技術文献】
【特許文献】
【０００３】
【特許文献１】特開２００４−９０９４０号公報
【特許文献２】実用新案登録第３０４９９９６号公報
【発明の概要】
【発明が解決しようとする課題】
【０００４】
上記従来の中敷きを有する底上げ式包装箱は、中敷き本体の被包装品が嵌った周りの支持面は水平状態であって、被包装品の包装態様としては、顧客に感動及び高級感を醸し出していない。
この発明は、以上の状況の下、被包装品の底上げ支持状態の従来にはない、斬新な態様を提供することを課題とする。
【課題を解決するための手段】
【０００５】
上記課題を達成するため、この発明は、上記特許文献２の対の傾斜板でもって商品を架け渡し状態で支持している態様に着目し、被包装品を支持する中敷きの態様を対の傾斜面で支持するようにしたのである。
対の傾斜面の中に被包装品が位置すると、箱本体の平面視において、目の錯覚により、包装箱の外枠も含めて被包装品が支持された中敷き外縁は、前記外枠の本来の形状と異なる形状に見える。このため、被包装品の包装態様が従来と異なることとなって、被包装品の高級感等を醸し出す。
【０００６】
この発明に係る包装箱の構成としては、有底筒状箱本体と、その箱本体に装填される底上げ用中敷きと、を有し、中敷きは、周囲に設けられた脚片（脚板、側板）と、その脚片から中央に向かってそれぞれ下り傾斜した対の支持板とを有し、その両支持板は、前記中央で折れ線を介して連結されて、その両支持板に嵌合孔がそれぞれ形成されているとともに、前記脚片が側壁内面に沿って位置されており、前記対の支持板の両嵌合孔の一方に棒状被包装品の一端部が嵌められるとともに、同嵌合孔の他方に被包装品の他端部が嵌められて、両支持板の間に被包装品が架け渡されて底上げした状態で支持される構成としたのである。
【０００７】
この構成の箱本体は、有底筒状体でその筒軸に対して点対称となった形状であれば、中敷きを左右異ならせて箱本体に嵌めることができるとともに、包装箱の外枠と中敷き外縁が目の錯覚による異なる形状に見え易くなる。その形状は、例えば、実施形態を示す、図１の平面視、正四角形、同図１１の平面視、円形、同三角形、同長方形、同菱形等の有底筒体が考えられる。
中敷きは、それらの箱本体内にすっぽり嵌る形状とする。すなわち、中敷きは、上記脚片を箱本体の側壁内周面に沿うように位置されて箱本体内に装填する。
このとき、箱本体と中敷きが、平面視、正四角形状であると、箱本体の筒軸に対し、中敷きを９０度間隔で回転させてもその箱本体に嵌めることができる。すなわち、中敷きは、上記中央の折れ線を箱本体の前記正四角形の２ツの異なる対角線上に選択的に位置するように箱本体に嵌め込み自在となって、その選択した各位置において、側面視の形状が異なる包装態様を得ることができる（図２（ａ）、図１０参照）。
また、上記箱本体が、平面視三角形の場合、その隣接する２辺の側壁の上縁が両端から中央に向かって傾斜し、上記中敷きは、上記対の支持板が箱本体の前記両端から傾斜する両側壁上縁に沿って、上記折れ線が前記傾斜する両側壁上縁の衝合する両点の間に位置するように箱本体に嵌め込まれている構成とすることができる。
【発明の効果】
【０００８】
この発明は、以上のように構成したので、従来になかった棒状被包装品の収納態様となる。例えば、箱本体が、平面視正四角形とすると、中敷きの対の支持板が対向する辺から中央に傾斜している態様となるため、目の錯覚によって、正四角体の平面視が菱形状に見える。このため、看者に驚きを与えることができる。
【図面の簡単な説明】
【０００９】
【図１】この発明に係る包装箱の一実施形態（実施形態１）の斜視図
【図２】同実施形態の箱本体を示し、（ａ）は斜視図、（ｂ）は平面図
【図３】同実施形態の蓋を裏返した前方斜め上方からの斜視図
【図４】同実施形態の箱本体の分解斜視図であり、（ａ）は箱本体、（ｂ）はその中敷き
【図５】同実施形態の蓋の分解斜視図であり、（ａ）は蓋本体、（ｂ）はその間仕切り
【図６】同実施形態の箱本体の展開図
【図７】同実施形態の箱本体の中敷きの展開図
【図８】同実施形態の蓋本体の展開図
【図９】同実施形態の蓋の間仕切りの展開図
【図１０】同実施形態の他の中敷き装填斜視図
【図１１】この発明に係る包装箱の他の実施形態（実施形態２）の斜視図
【図１２】同実施形態の分解図であり、（ａ）は中敷きの展開図、（ｂ）は箱本体の斜視図
【図１３】この発明に係る包装箱のさらに他の実施形態（実施形態３）の蓋を外した斜視図
【図１４】同実施形態の箱本体を示し、（ａ）は組み立て途中の斜視図、（ｂ）は組み立て後の斜視図
【図１５】同箱本体の展開図
【図１６】同実施形態の箱本体の中敷きの斜視図
【図１７】同中敷きの展開図
【図１８】同実施形態の蓋を示し、（ａ）は組み立て途中の斜視図、（ｂ）は組み立て後の反転した斜視図
【図１９】同蓋の展開図
【発明を実施するための形態】
【００１０】
この発明に係わる包装箱の各実施形態（実施形態１、２、３）を図１〜図１９に示し、この各実施形態の包装箱Ａ１、Ａ２、Ａ３は、ボール紙からなり、その表面はアルミ蒸着によって鏡面とすることできる。
なお、この明細書では、包装箱Ａ（Ａ１、Ａ２、Ａ３）を水平面上においた状態（図１、図１１、図１３）で、水平面上にて相直交する一方を前後、他方を左右と称し、水平面に対して直交する鉛直方向に沿う上方を上、下方を下と称する。また、図６等のブランクの展開状態でいう各部の左右、上縁、下縁とは、このブランクが組立てられた図１、図２、図３、図１１、図１３で示す包装箱Ａの状態で、各部の左縁、右縁、上縁、下縁を構成することとなるものを左縁、右縁、上縁、下縁という。また、図６、図７、図８、図９、図１２、図１５、図１６、図１９中、太実線は切断線、細実線ｒは折り目線、破線ｒ’はミシン目線（ミシン目状折り目線）であり、以下同様とする。
【００１１】
［実施形態１］
図１〜図１０に示す一実施形態の包装箱Ａ１は、平面視正四角形の箱本体１０と（図２参照）、その箱本体１０内に嵌めた中敷き２０と（図４（ｂ）参照）、箱本体１０に被せる平面視正四角形の蓋本体３０と、その蓋本体３０に嵌めた間仕切り４０とからなる（図５参照）。
【００１２】
箱本体１０は、図６に示すブランクからなり、正四角形の底板１１の一辺に台形状前板１２が折り目線ｒを介して連接され、この前板１２の横方向（左右方向）にそれぞれ折り目線ｒを介して台形状側板１３、１３、同後板１４及び糊片１５が連接（連設）されている。前板１２、後板１４、側板１３の一縁（上縁）にそれぞれ四角状の補強片１６が折り目線ｒを介して連接され、後板１４及び両側板１３、１３の他縁（下縁）にはそれぞれ折り目線ｒを介してフラップ片１７が連接されている。
【００１３】
この箱本体１０は、底板１１に対し、前板１２を立ち上げ、その周りに側板１３、１３、後板１４を折り曲げて四角筒状とし（図４（ａ））、糊片１５、フラップ片１７を内側に折り曲げ（谷折り）すると共に、それら１５、１７を後板１４又は底板１１に貼着する（この貼着は、糊付けや両面テープによる。以下同様）。この後、補強片１６を内側に折り曲げて、図２に示す、平面視正四角形であって、側壁（側板１３、後板１４）が横向き台形状となる。
また、この箱本体１０は、図２(a)に示すように、周縁が昇り傾斜から頂点に至って下り傾斜となり、その谷底点（衝合点）から再び昇り傾斜となり、頂点（衝合点）に至って再び下り傾斜となって谷底点となる態様となっている。
この態様の箱本体１０は、平面視、正四角形の有底筒状体でその筒軸ｃに対して点対称となる。
【００１４】
箱本体１０に嵌められる中敷き２０は、図７に示すブランクからなり、箱本体１０の対角線の長さとなったミシン目状折り目線２１を境にして同一形状の三角状支持板２２、２３が連接されている。この対の支持板２２、２３は平面視菱形を呈している。支持板２２、２３の他の２辺（折り目線２１以外）には横向き台形状脚片（脚板）２４がそれぞれ連接されている。また、両支持板２２、２３には化粧水瓶のような長尺の棒状被包装品Ｐの端部が嵌る嵌合孔２５、２６が形成されている。その一方の嵌合孔２５は卵状であり、他方の嵌合孔２６は円状の一部が四角状に切欠きされ、その円状部の周囲には短冊状に支片２７が設けられている。嵌合孔２５、２６の周囲一部が折り目線ｒとなって、その切り抜き片２５ａ、２６ａが内側に適宜に折り込まれる。
この中敷き２０は、脚片２４を山折りするとともに、対の支持板２２、２３を折り目線（折れ線）２１を介して谷折りして平面視正四角形の箱状態とする。その箱状態の中敷き２０を箱本体１０の内部に嵌め込む（図２の状態）。このとき、箱本体１０がその筒軸ｃに対して点対称であるため、それに嵌った中敷き２０も筒軸ｃに対し点対称となる。また、中敷き２０の支持板２２、２３の側縁（脚片２４の折り目線）は箱本体１０の周囲上縁に沿って全周に亘って同一高さとなる。
【００１５】
蓋本体３０は、図８に示すブランクからなり、正四角形の蓋板３１の一辺に前板３２が折り目線ｒを介して連接され、この前板３２の横方向にそれぞれ折り目線ｒを介して側板３３、３３、後板３４及び糊片３５が連接されている。前板３２、側板３３、３３、後板３４の一縁にそれぞれ四角形の補強片３６が折り目線ｒを介して連接され、後板３４及び両側板３３の他縁にはそれぞれ折り目線ｒを介して糊片３７が連接されている。各補強片３６の先端縁にはミシン目ｒ’を介してフラップ片３８が連接されている。
この蓋本体３０は、蓋板３１に対し、前板３２を立ち上げ、その蓋板３１の周りに側板３３、３３、後板３４を折り曲げて正四角筒状とし、糊片３５、３７を内側に折り曲げて（谷折りし）、一の糊片３５を側板３３内面に糊付けすると共に、他の各糊片３７を蓋板３１に糊付けする。この後、補強片３６を内側に折り曲げる（山折りする）とともにフラップ片３８をさらに内側に折り曲げて（谷折りし）蓋板３１に沿わせて、図５（ａ）に示す、有蓋正四角筒状の蓋本体３０とする。
【００１６】
蓋本体３０に嵌められる間仕切り４０は、図９に示すブランクからなり、蓋本体３０の対角線の長さとする折り目線４１を境にして山折りされる対の支持片４２、４３が連接されている。この対の支持片４２、４３に横向きほぼ二等辺三角形状蓋補強片４４がそれぞれ連接されている。また、この両支持片４２、４３に前記折り目線４１を跨いで小判状の嵌合孔４５が形成されている。支持片４２、４３の両側には三角状のフラップ片４６が連接されている。
この両蓋補強片４４を、図５（ｂ）に示すように、支持片４２、４３をその中央の折り目線４１を介して谷折りし、その状態で、図３に示すように、蓋本体３０内に嵌め込む。すると、この間仕切り４０によって蓋本体３０内にその対角線上の両支持片４２、４３からなって嵌合孔４５を有する間仕切り壁が形成される。このとき、フラップ片４６を内側に曲げて蓋本体３０の内側面（補強片３６）コーナ部に沿わせて、三角状に立ち上がる支持片４２、４３を安定化させる。また、蓋補強片４４の側縁の突片４４ａが蓋本体３０の補強片３６の側縁の切り目３８ａに嵌って間仕切り４０を安定化させる。
【００１７】
この実施形態の包装箱Ａ１は以上の構成であり、図２に示すように、箱本体１０に中敷き２０を嵌めた状態とし、その中敷き２０内の嵌合孔２５、２６に棒状被包装品（化粧瓶）Ｐをその両端部でもって嵌める。このとき、支片２７及び切り抜き片２５ａ、２６ａの折り目線ｒを介した復帰力によって被包装品Ｐの下面を支える。
また、箱本体１０の各上縁は一端から他端に向かって傾斜し、中敷き２０の各上縁も対の支持板２２、２３に沿って傾斜して、両上縁が全周に亘って同一高さとなっている。
この状態は、中敷き２０の対の支持板２２、２３が平面視菱形状のため、対向する辺から中央に傾斜している態様となって、目の錯覚によって、正四角体の平面視が菱形状に見える。このため、看者に驚きを与えるものとなる。
【００１８】
この図２の状態において、図１に示すように、箱本体１０に蓋本体４０を被せる（嵌める）。このとき、箱本体１０及び蓋本体４０が平面視正四角形であり、上記間仕切り壁はその対角線上に位置し、被包装品Ｐもその対角線に直交する対角線上に位置するから、その被包装品Ｐは嵌合孔４５内に位置するように嵌め込めば、その嵌め込みの邪魔とはならない。
この実施形態においては、図１０に示すように、箱本体１０の側壁の山頂部分と中敷き２０の側壁の山頂部分を周囲交互に位置するように、箱本体１０に中敷き２０を嵌めれば（箱本体１０の筒軸ｃに対し、中敷き２０を９０度間隔で回転させてその箱本体１０に嵌めれば）、図２と趣の異なる包装態様となる（その選択した両位置において、側面視の形状が異なる態様となる）。このとき、同様に、蓋本体３０が正四角形であるから、筒軸ｃに対して点対称であって、上記間仕切り壁は、嵌合孔４５内に被包装品Ｐが位置するように嵌め込むことができて、その嵌め込みの邪魔とはならない。
【００１９】
上記実施形態１は、四角状の包装箱Ａ１であったが、有底筒状の箱本体と、その箱本体に装填される底上げ用中敷きと、を有し、中敷きは、周囲に設けられた脚片と、その脚片から中央に向かってそれぞれ下り傾斜した対の支持板とを有し、その両支持板は、中央で折れ線を介して連結されて、その両支持板に嵌合孔がそれぞれ形成されているとともに、前記脚片が箱本体側壁内面に沿って位置されており、対の支持板の両嵌合孔の一方に棒状被包装品の一端部が嵌められるとともに、同嵌合孔の他方に被包装品の他端部が嵌められて、両支持板の間に被包装品が架け渡された状態で支持される包装箱であれば、その平面形状は、四角状に限定されるものではない。
【００２０】
［実施形態２］
例えば、図１１、図１２に示すように、有底円筒形包装箱Ａ２であって、図１２（ａ）に示すように、楕円形の中敷き２０’とし、その周囲にほぼ台形状の脚片２４を形成したものとし得る。この各図において、上記と同一符号は同一物を示す。
この中敷き２０’を箱本体１０’に嵌めることによって、図１１に示すように、対の傾斜面を有する被包装品Ｐの支持板２２、２３となる。この実施形態において、有蓋円筒状蓋を箱本体１０’の上部外側に嵌め得ることは勿論である。
箱本体１０’は、従来の周知の手法によって、円筒状の周壁を形成し、その周壁の底面を底板１１によって閉じること等によって製作する。
箱本体１０’は、図１１鎖線で示すように、側壁の上縁を左右対称に支持板２２、２３の上面に沿って切り欠いた物とすることもできる。
【００２１】
［実施形態３］
この実施形態の包装箱Ａ３は、図１３〜図１９に示すように、平面視二等辺三角形の箱本体１１０（図１４（ｂ）参照）と、その箱本体１１０内に嵌めた中敷き１２０と（図１６参照）、箱本体１１０に被せる平面視二等辺三角形の蓋本体１３０とからなる（図１８（ｂ）参照）。
【００２２】
箱本体１１０は、図１５に示すブランク１１０’からなり、二等辺三角形の底板１１１の一辺（同図において右側）に長方形状後板１１４が折り目線ｒを介して連接され、この後板１１４の横方向（同上下方向）にそれぞれ折り目線ｒを介して側板１１３、１１３、フラップ片１１２、１１２ａが連接されている。後板１１４及び側板１１３の一縁（上縁）にそれぞれ補強板１１６が折り目線ｒを介して連接され、各補強板１１６の縁にはそれぞれ折り目線ｒ’を介してフラップ片１１７が連接されている。側板１１３の上縁は補強板１１６が山折りされると、そのほぼ中央に向かって傾斜する（図１４（ａ）参照）。図中、点斜線部分ｂは糊面である（以下、同様）。
【００２３】
この箱本体１１０は、図１４（ａ）に示すように、底板１１１に対して後板１１４を立ち上げるとともに、各側板１１３をそのフラップ片１１２、１１２を内側に折り曲げ（谷折り）しつつ底板１１１の周りに沿わせて三角筒状とし、突片状フラップ片１１２ａを他のフラップ片１１２の切り目１１２ｂに差し込む。このとき、フラップ片１１２は上記糊面ｂでもって底板１１１に貼着する。
この後、補強板１１６、１１６、１１６、１１６、１１６を内側に折り曲げ（山折りし）、それらを後板１１４、側板１１３の内側に重ねるとともに、各フラップ片１１７を底板１１１上のフラップ片１１２、１１７上に重ねる。このとき、各補強板１１６は後板１１４、側板１１３に上記糊面ｂでもって貼着する。
この箱本体１１０の組み立て状態は、平面視二等辺三角形で、側板１１３の上縁はそのほぼ中央に向かって下り傾斜となる（図１４（ｂ）参照）。
【００２４】
箱本体１１０に嵌められる中敷き１２０は、図１７に示すブランク１２０’からなり、ほぼ中央のミシン目状折り目線１２１を境にして二等辺三角形状支持板１２２及び等脚台形状支持板１２３が連接されている。両支持板１２２、１２３の他の辺（折り目線１２１以外）には横向き台形状脚片１２４及び長方形状脚片１２４ａが折り目線ｒを介してそれぞれ連接されている。また、両支持板１２２、１２３には化粧水瓶のような長尺の棒状被包装品Ｐの端部が嵌る嵌合孔１２５、１２６が形成されている。その一方の嵌合孔１２５は卵状であり、他方の嵌合孔１２６は円状の一部が切欠きされ、その円状部の周囲には短冊状に支片１２７が設けられている。嵌合孔１２５、１２６の周囲一部が折り目線ｒとなって、その切り抜き片１２５ａ、１２６ａが内側に適宜に折り込まれる。なお、嵌合孔１２５，１２６等は上記実施形態２と同一構成である。
【００２５】
この中敷き１２０は、図１６に示すように、脚片１２４を山折りするとともに、両支持板１２２、１２３を折り目線１２１を介して谷折りして平面視二等辺三角形の箱状態とする。その箱状態の中敷き１２０を箱本体１１０の内部に嵌め込む（図１３の状態）。このとき、箱本体１１０の側板１１３上縁の中央の最底間（下記衝合点ｅ、ｅ間）にミシン目状折り目線１２１が位置する。
【００２６】
蓋本体１３０は、図１９に示すブランク１３０’からなり、二等辺三角形の蓋板１３１の一辺（後縁）に長方形状後板１３４が折り目線ｒ’を介して連接され、この後板１３４の横方向（図１９の上下方向）にそれぞれ折り目線ｒを介して台形状側板１３６、１３６が連接されている。後板１３４、両側板１３３、１３３の他辺（下縁）にはそれぞれ副（内側）後板１３５、副（内側）側板１３３、１３３が折り目線ｒを介してそれぞれ連接されている。各側板１３３、１３６の下縁にはそれぞれフラップ１３３ａ、１３６が折り目線ｒを介して連接されている。
副後板１３５の下縁（図１９において左側縁）には、副蓋板（補強板）１３７が折り目線ｒを介して連接されている。図中、１３６ｃは差し込み片、１３６ｄはその差し込み片１３６ｃが差し込まれる切り目である。
【００２７】
この蓋本体１３０は、蓋板１３１に対し、後板１３４を立ち上げ（図１８（ａ）において下側に折り曲げ）、その周りに側板１３３、１３３を折り曲げて三角筒状とし（図１８（ａ））、さらに、内側後板１３５、内側側板１３３の内側に山折りするとともに、各フラップ１３３ａ、１３６aを内側に谷折りして重ね、その重ねたフラップ１３３ａ、１３６ａを蓋板１３１に重ねる。その後、副後板１３５、副蓋板１３７を内側に折り曲げ（山折り、谷折り）して後板１３４及び蓋板１３１に重ねる。
このとき、副蓋板１３７周縁の突片１３７ａは側板１３３とフラップ１３３ａの境（折り目線ｒ）上の切り目１３３ｂに嵌め込んで側板１３３に固定すると共に、差し込み片１３６ｃを切り目１３６ｄに差し込んで、平面視二等辺三角形の蓋本体１３０とする。また、蓋板１３１、１３７、フラップ片１３６ａ、１３３ａの間は適宜に貼着する（図１８（ｂ））。
なお、箱本体１１０、中敷き１２０及び蓋本体１３０の各フラップ、フラップ片は相互及び蓋板等に適宜に貼着する。
【００２８】
この実施形態の包装箱Ａ３は以上の構成であり、図１３に示すように、箱本体１１０に中敷き１２０を嵌めた状態とし、その中敷き１２０内の嵌合孔１２５、１２６に棒状被包装品（化粧瓶）Ｐをその両端部でもって嵌める。このとき、箱本体１１０は平面視三角形で、その隣接する２辺の側壁１１３の上縁１１３ａが両端から中央に向かって傾斜し、中敷き１２０は、対の支持板１２２、１２３が箱本体１１０の両側壁上縁１１３ａ、１１３ａに沿って、上記折れ線（折り目線）１２１が両側壁上縁１１３ａ、１１３ａの衝合する点ｅ、ｅの間に位置するように箱本体１１０に嵌め込まれる。
【００２９】
この状態は、中敷き１２０の両支持板１２２、１２３が平面視二等辺三角形状であって、対向する辺から中央に傾斜している態様となって、目の錯覚によって、中央が没した二等辺三角体状に見える。このため、看者に驚きを与えるものとなる。
この状態において、図１３鎖線に示すように、箱本体１１０に蓋本体１３０を被せる（嵌める）。
【００３０】
この実施形態の包装箱Ａ３は、箱本体１１０及び中敷き１２０を平面視正三角形とすれば、図１３から中敷き１２０を箱本体１１０に対し１２０度回転させた状態で箱本体１１０に嵌め込むことができる（図１０参照）。
【００３１】
この発明に係る包装箱の材料は、ボール紙に限らず、他の板紙、プラスチックシート、又は紙とプラスチックの複合シート等の種々のものを採用し得る。
また、実施形態１、２において、箱本体１０（１０’）に対し中敷き２０（２０’）を回転させて側面視の形状が異なる態様とするには、上記各側壁の上縁形状（山状）を異ならせる以外に、箱本体の側壁の形状と中敷きの周壁（脚片）の形状を適宜に異ならせる等の手段によって行うことができる。
なお、棒状被包装品とは、長尺瓶などのその両端が支持板の孔に嵌められてハンモック状に支持される物を全て含む。また、蓋（蓋本体３０、１３０）は必要に応じて採用すれば良く、省略することができる。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００３２】
１０、１０’、１１０  箱本体
１１、１１１  箱本体の底板
１２  同前板
１３、１１３  同側板
１４、１１４  同後板
１５  糊片
１６、１１６  補強片（副後板）
１７  フラップ片
２０、２０’、１２０  中敷き
２１、１２１  ミシン目状折り目線
２２、２３、１２２、１２３  支持板
２４、１２４  脚片
２５、２６、１２５、１２６  嵌合孔
２７  支片
３０、１３０  蓋本体
３１、１３１  蓋本体の蓋板
３２  同前板
３３、１３３、１３６  同側板
３４、１３４  同後板
３５、３７  同糊片
１３３、３６５  同補強片
３８、１３６ａ  同フラップ片
４０  間仕切り
４１  間仕切りの折り目線
４２、４３  同支持片
４４  同補強片
４５  同嵌合孔
４６  同フラップ片
Ａ１、Ａ２、Ａ３  包装箱  
Ｐ  商品（被包装品）
ｃ  切り目線
ｅ  衝合点
ｒ  折り目線
ｒ’ミシン目状切り目線
【図１】
2019210056.tif 000003
【図２】
2019210056.tif 000004
【図３】
2019210056.tif 000005
【図４】
2019210056.tif 000006
【図５】
2019210056.tif 000007
【図６】
2019210056.tif 000008
【図７】
2019210056.tif 000009
【図８】
2019210056.tif 000010
【図９】
2019210056.tif 000011
【図１０】
2019210056.tif 000012
【図１１】
2019210056.tif 000013
【図１２】
2019210056.tif 000014
【図１３】
2019210056.tif 000015
【図１４】
2019210056.tif 000016
【図１５】
2019210056.tif 000017
【図１６】
2019210056.tif 000018
【図１７】
2019210056.tif 000019
【図１８】
2019210056.tif 000020
【図１９】
2019210056.tif 000021